(57)【要約】【課題】電柱の地際を補強するとともに、支線や根か等を用いずに電柱に加わる張力に耐えることができるようにする。【解決手段】地中に立設された電柱等の柱状物を補強する柱状物補強装置であって、前記地中の表面付近に位置する前記柱状物に当接して支持する支持部材と、前記支持部材から前記地中の表面と平行に伸びる腕部材とからなる。【選択図】　　　図１
2004084267.tif 000002
【特許請求の範囲】
【請求項１】
地中に立設された電柱等の柱状物を補強する柱状物補強装置であって、
前記地中の表面付近に位置する前記柱状物に当接して支持する支持部材と、
前記支持部材から前記地中の表面と平行に伸びる腕部材と、
からなることを特徴とする柱状物補強装置。
【請求項２】
請求項１に記載の柱状物補強装置において、支持部材は、バンド部材を用いて柱状物に固定されることを特徴とする柱状物補強装置。
【請求項３】
請求項１又は２に記載の柱状物補強装置において、腕部材の先端は、アンカで固定されることを特徴とする柱状物補強装置。
【請求項４】
請求項１〜３のいずれかに記載の柱状物補強装置において、腕部材は、放射状に複数本設けられることを特徴とする柱状物補強装置。
【請求項５】
請求項１〜４のいずれかに記載の柱状物補強装置において、柱状物は、その柱状物の立設される地面に設けられた穴の底部にアンカを埋設し、そのアンカの上端部にその柱状物の底部を挿入する筒状体を設け、その筒状体の中にその柱状物を立設することを特徴とする柱状物補強装置。
【発明の詳細な説明】
【０００１】
【発明の属する技術分野】
本発明は、地中に立設される電柱等の柱状物を補強する柱状物補強装置に関する。
【０００２】
【従来の技術】
従来、電柱等の柱状物（以下、電柱を例に説明する。）を地面（地中）に立設するには、穴堀建柱車により電柱の立設箇所の地面に所定深さの穴を掘り、その掘られた穴の中に電柱の下端部（基部）を挿入して行われている。
【０００３】
また、立設された電柱には、必要に応じて電柱に加わる張力に耐えるように支線が設けられ、あるいは、その張力に耐えるように、地中において電柱の立設方向と直交する棒材からなる根かを設けたり、電柱の囲りをコンクリートで覆う根まきが設けられたり、あるいは、電柱の底部に根はじきが設けられる。
【０００４】
しかしながら、地中に立設される柱状物は、電柱の立設箇所の地面に所定深さの穴を掘り、その掘られた穴に電柱の下端部を挿入して立設するため、地質の性質によっては、立設された電柱が不安定になることがあった。また、電柱の取替えの必要が生じたときは、その都度、所定深さの穴を掘らなければならないという面倒があった。さらに、電柱に加えられる張力に耐えるように支線を設けたときは、電柱と支線との間の土地利用が制限されるだけでなく、土地利用の補償費用がかさむという欠点があった。また、地中において、電柱に根かや根はじき等を設けるときは、その分だけ掘削を必要とし、作業が大掛かりになる欠点があった。
【０００５】
そこで、出願人は、先に、特開２００２−１４６０３４号及び同１４６０４６号において、上記欠点を解決するために、立設された電柱等の柱状物の安定性を高めることができるとともに、その柱状物の交換を容易にすることができ、しかも、支線，根かあるいは根はじきを必要としない柱状物構造を提案している。これら提案に係る柱状物構造は、電柱等の柱状物の立設される地面に設けられた穴の底部にアンカを埋設し、そのアンカの上端部にその柱状物の底部を挿入する筒状体を設けるとともに、その筒状体にその地面の地表に沿って伸びる腕部材を設けて、その筒状体の中にその柱状物を立設するようにしている。
【０００６】
【発明が解決しようとする課題】
上記提案に係る柱状物構造により、支線、根か、根はじきあるいは根まきを必要とすることなく柱状物の安定性を高めることができ、また、交換性を高めることができるという特長がある。
【０００７】
ところで、既設の電柱に対しても根かや根はじき等を用いることなく、簡単に補強できるようにすることが望まれていた。
【０００８】
そこで、本発明は、上記要望に応えるためになされたものであって、その目的は、既設の電柱等の柱状物を簡単に補強することのできる柱状物補強装置を提供することにある。
【０００９】
【課題を解決するための手段】
本発明に係る柱状物補強装置は、上記目的を達成するために、請求項１に記載の発明は、地中に立設された電柱等の柱状物を補強する柱状物補強装置であって、前記地中の表面付近に位置する前記柱状物に当接して支持する支持部材と、その支持部材から前記地中の表面と平行に伸びる腕部材と、からなることを特徴としている。
本発明の請求項２に記載の柱状物補強装置は、支持部材は、バンド部材を用いて柱状物に固定されることを特徴としている。
本発明の請求項３に記載の柱状物補強装置は、腕部材の先端は、アンカで固定されることを特徴としている。
本発明の請求項４に記載の柱状物補強装置は、腕部材は、放射状に複数本設けられることを特徴としている。
本発明の請求項５に記載の柱状物補強装置は、柱状物は、その柱状物の立設される地面に設けられた穴の底部にアンカを埋設し、そのアンカの上端部にその柱状物の底部を挿入する筒状体を設け、その筒状体の中にその柱状物を立設することを特徴としている。
【００１０】
【発明の実施の形態】
以下、本発明の実施の形態を図面に基づいて説明する。図１は、一実施の形態に係る柱状物補強装置の斜視図である。
【００１１】
本発明の柱状物に相当する電柱Ｐは、地面（本発明の地中に相当している。）Ｇに既に立設されている既設の電柱として示されている。なお、この電柱Ｐは、新たに立設された電柱であってもよい。
【００１２】
図１中、１ａ，１ｂは、鋳物からなる支持部材であって、平面から見たときは、図２（ａ）に示されるように、電柱Ｐを中心に９０°の角度を有して放射状に設けられている。各支持部材１ａ，１ｂは同一なので、支持部材１ａを用いて説明すると、支持部材１ａは、電柱Ｐの地面Ｇの表面近くの外周の約１／４を囲み、かつ、電柱Ｐの長手方向の所定の長さに亘って当接する基部１０と、その基部１０から地面Ｇの表面と平行に所定長さ伸びる腕部材１１とから構成されている。そして、その腕部材１１の先端には、後述するアンカを取付けるための孔１２が設けられている。また、図１中、２０は、鋼製のバンド部材であって、電柱Ｐの周囲に配置された両支持部材１ａ，１ｂの基部１０，１０を電柱Ｐに固定するために用いられる。このバンド部材２０を用いることにより、電柱Ｐや基部１０，１０に特別な加工を施すことなく基部１０，１０を電柱Ｐに強固に固定することができる。このバンド部材２０は、市販品を用いることができる。
【００１３】
図１中、３０ａ，３０ｂは、支持部材１ａ，１ｂの先端側にそれぞれ設けられるアンカである。これらアンテナ３０ａ，３０ｂは同一なので、アンカ３０ａを例に説明すると、このアンカ３０ａは、鋳鉄製からなり、先細りの軸部３１の周囲に螺旋状の掘削刃３２，３２…が所定の間隔を保って複数個（図示の例では４個）設けられている。そして、その軸部３１の上端側（先細りと反対側）には、フランジ３３が設けられているとともに、そのフランジ３３の上側中央部には、アンカ３０ａを地面Ｇに埋設するときの工具（穴堀建柱車の回転部）に接続するための角柱部３４が設けられている。
【００１４】
以下、上記構成からなる柱状物補強装置の施工手順について説明する。先ず、図示しない穴掘建柱車を用いてアンカ３０ａ，３０ｂが腕部材１１，１１の先端に設けられている孔１２，１２の位置する予定の箇所に回転させながら埋設される（打込まれる）。次いで、穴掘建柱車を用いて支持部材１ａ，１ｂが地面Ｇに圧入される。この際、アンカ３０ａ，３０ｂの角柱部３４，３４が孔１２，１２に挿入するように位置決めして圧入される。なお、支持部材１ａ，１ｂは、地面Ｇを少し掘り下げて電柱Ｐの囲りに配置してもよい。孔１２，１２に角柱部３４，３４がそれぞれ挿入された後、その角柱部３４，３４にそれぞれ設けられているピン孔にピンをそれぞれ挿入して支持部材１ａ，１ｂとアンカ３０ａ，３０ｂとがそれぞれ固定される（図１参照）。この固定は、ピンを用いずに他の手段であってもよい。
【００１５】
電柱Ｐの周囲に設置された支持部材１ａ，１ｂの基部１０，１０は、バンド部材２０により結束されて電柱Ｐに強固に固定される。したがって、電柱Ｐの地面Ｇの地表部分、つまり地際は、支持部材１ａ，１ｂの基部１０，１０により補強されるとともに、電柱Ｐは、従来の根かや根はじき等を用いることなく簡単に安定化を図ることができる。
【００１６】
なお、上述の説明では、支持部材１ａ，１ｂを電柱Ｐを中心に９０°の放射方向に配置したが、この配置の仕方及び本数は、電柱Ｐに加わる張力等によって任意に決めることができる。すなわち、図２（ｂ）に示されるように、直線方向に、図２（ｃ）に示されるように、４方向に、そして、図２（ｄ）に示されるように、３方向に配置してもよい。また、図示しないが、１本の支持部材であってもよい。
【００１７】
図３は、本出願が特願２００２−１４６０４６号で提案した柱上構造物に本発明を適用した正面図である。ここに示される支持部材１ａ，１ｂは、地中（地面Ｇ）に設けられた筒状体４０の上部にバンド部材２０を用いて取付けられている。そして、この筒状体４０は、アンカ５０の上に設けられている。すなわち、このアンカ５０は、鋳鉄製からなり、先細りの軸部５１の周囲に螺旋状の掘削刃５２が所定の間隔を保って複数個（図示の例では３個）設けられている。これら掘削刃５２，５２…のうち、最も大きな掘削刃５２の直径は、電柱Ｐの直径よりも少し大きく決められている。そして、その軸部５１の上端側（先細りと反対側）には、電柱Ｐの太さよりも少し大きいフランジ５３が設けられているとともに、そのフランジ５３の上側中央部には、アンカ５０を地面Ｇに埋設するときの工具（穴堀建柱車の回転部）に接続するための角柱部５４が設けられている。
【００１８】
上部開口，下部有底の鋼製の筒状体４０の内部の空間形状は、電柱Ｐの下部が挿入できる大きさに形成されている。そして、この筒状体２０の長さ（長手方向の長さ）は、電柱Ｐを地面Ｇに埋設する深さに相当するように構成されていて、通常、２ｍの長さに形成されている。この筒状体４０の底には、アンカ５０の角柱部５４が貫通する孔４１が設けられている。
【００１９】
筒状体４０及びアンカ５０の施工手順については、特願２００２−１４６０４６号中に詳細に説明されているので省略するが、穴掘建柱車を用いて地面Ｇ内に回転させられて埋設される。そして、筒状体４０が埋設された後に、その筒状体４０に電柱Ｐが挿入される。筒状体４０の上部には、上記図１を用いた説明と同様にして支持部材１ａ，１ｂ及びアンカ３０ａ，３０ｂが取付けられる。なお、支持部材１ａ，１ｂ及びアンカ３０ａ，３０ｂの取付は、電柱Ｐが筒状体４０に挿入される前に行うようにしてもよい。また、上述の例では、電柱Ｐは、電線や電話線用としたが、信号機用の電柱や道路標識等のポールであってもよい。
【００２０】
【発明の効果】
本発明の請求項１に記載の柱状物補強装置は、地中の表面付近に位置する柱状物に当接して支持する支持部材と、その支持部材から前記地中の表面と平行に伸びる腕部材とからなるので、柱状物の地際を補強することができ、また、柱状物の立設される土質に影響を受けずに柱状物を容易に立設することができるとともに、従来の支線や根か、あるいは根はじきを用いなくとも電柱に加わる張力に十分に耐えることができる。
本発明の請求項２に記載の柱状物補強装置は、支持部材は、バンド部材を用いて柱状物に固定されるので、支持部材を柱状物に容易に固定することができる。本発明の請求項３に記載の柱状物補強装置は、腕部材の先端は、アンカで固定されるので、支持部材の支持力を高めることができる。
本発明の請求項４に記載の柱状物補強装置は、腕部材は、放射状に複数本設けられるので、支持部材の支持力をより高めることができる。
本発明の請求項５に記載の柱状物補強装置は、柱状物は、その柱状物の立設される地面に設けられた穴の底部にアンカを埋設し、そのアンカの上端部にその柱状物の底部を挿入する筒状体を設け、その筒状体の中にその柱状物を立設するので、柱状物の交換を容易に行うことができる。
【図面の簡単な説明】
【図１】本発明の一実施の形態に係る柱状物補強装置の斜視図である。
【図２】支持部材の配置例を示す平面図である。
【図３】本発明の他の実施の形態に係る柱状物補強装置の正面図である。
【符号の説明】
Ｐ　電柱（柱状物）
１ａ〜１ｄ　支持部材
１０基部
１１　腕部材
２０　バンド部材
３０ａ，３０ｂ　アンカ
４０　筒状体
５０　アンカ
４０　補助アンカ
Ｇ　地面
【図１】
2004084267.tif 000003
【図２】
2004084267.tif 000004
【図３】
2004084267.tif 000005
【手続補正書】
【提出日】平成14年8月27日(2002.8.27)
【手続補正１】
【補正対象書類名】明細書
【補正対象項目名】０００５
【補正方法】変更
【補正の内容】
【０００５】
そこで、出願人は、先に、特願２００２−１４６０３４号及び同１４６０４６号において、上記欠点を解決するために、立設された電柱等の柱状物の安定性を高めることができるとともに、その柱状物の交換を容易にすることができ、しかも、支線，根かあるいは根はじきを必要としない柱状物構造を提案している。これら提案に係る柱状物構造は、電柱等の柱状物の立設される地面に設けられた穴の底部にアンカを埋設し、そのアンカの上端部にその柱状物の底部を挿入する筒状体を設けるとともに、その筒状体にその地面の地表に沿って伸びる腕部材を設けて、その筒状体の中にその柱状物を立設するようにしている。